(57)【要約】【課題】コンテンツのレイアウトの決定に係る作業負担を低減させる。【解決手段】レイアウト評価システム１００によれば、サーバ装置１の制御部１１は、デザインパーツ記憶部１２２に記憶されているデザインパーツをランダムに組み合わせてコンテンツのレイアウトを作成し、作成したレイアウトに基づいてコンテンツ情報を生成して通信部１５によりデジタルサイネージ装置２に送信する。デジタルサイネージ装置２は、画像形成部２７及び音声出力部３３により受信したコンテンツ情報に基づくコンテンツを出力し、撮像部３４によりそのときの集客映像を撮影してサーバ装置１に送信する。サーバ装置１の制御部１１は、受信した集客映像に基づいてコンテンツの評価を行う。【選択図】図６
2017167573.tif 000002
【特許請求の範囲】
【請求項１】
所定のレイアウトのコンテンツを表示する表示手段と、
前記レイアウトの評価を行う評価手段と、
を備える情報処理装置。
【請求項２】
デザインパーツをランダムに組み合わせてコンテンツのレイアウトを作成するレイアウト手段を備え、
前記表示手段は、前記レイアウト手段により作成されたレイアウトのコンテンツを表示し、
前記評価手段は、前記レイアウト手段により作成されたレイアウトの評価を行う請求項１に記載の情報処理装置。
【請求項３】
前記デザインパーツは、背景パーツ、文字パーツ、画像パーツを含む請求項２に記載の情報処理装置。
【請求項４】
前記評価手段は、前記レイアウト手段により作成された複数のレイアウトの評価を行う請求項２又は３に記載の情報処理装置。
【請求項５】
前記評価手段による評価結果に基づいて、前記レイアウト手段により作成された複数のレイアウトの中から前記コンテンツに採用するレイアウトを決定する決定手段を備える請求項４に記載の情報処理装置。
【請求項６】
前記表示手段によるコンテンツの表示中に前記表示手段の前方を撮影して撮影画像を取得する撮影手段を備え、
前記評価手段は、前記撮影手段により取得された撮影画像に基づいて前記レイアウトの評価を行う請求項１〜５の何れか一項に記載の情報処理装置。
【請求項７】
前記評価手段は、前記撮影画像から認識された人物像の視線を検出し、検出した視線に基づいて前記レイアウトの評価を行う請求項６に記載の情報処理装置。
【請求項８】
外部の通信装置と非接触通信を行う非接触通信手段を備え、
前記評価手段は、前記表示手段によるコンテンツの表示中に前記非接触通信手段が前記通信装置と非接触通信を行った回数に基づいて前記レイアウトの評価を行う請求項１〜５の何れか一項に記載の情報処理装置。
【請求項９】
前記非接触通信手段は、前記通信装置と非接触通信を行うことにより前記表示手段により表示中のコンテンツに関連するＷｅｂページのＵＲＬ（Uniform Resource Locator）であって、前記レイアウトに対応するＵＲＬを前記通信装置に送信し、
前記評価手段は、前記ＵＲＬにアクセスが行われた回数に基づいて、前記レイアウトの評価を行う請求項８に記載の情報処理装置。
【請求項１０】
操作手段を更に備え、
前記評価手段は、前記表示手段によるコンテンツの表示中に前記操作手段が操作されたか否かに基づいて前記レイアウトの評価を行う請求項１〜５の何れか一項に記載の情報処理装置。
【請求項１１】
所定のレイアウトのコンテンツを表示する工程と、
前記レイアウトの評価を行う工程と、
を含むレイアウト評価方法。
【請求項１２】
コンピュータを、
所定のレイアウトのコンテンツを表示する表示手段、
前記レイアウトの評価を行う評価手段、
として機能させるためのプログラム。
【発明の詳細な説明】
【技術分野】
【０００１】
本発明は、情報処理装置、レイアウト評価方法、及びプログラムに関する。
【背景技術】
【０００２】
従来、広告コンテンツを表示する広告表示装置が知られている（例えば、特許文献１参照）。
【先行技術文献】
【特許文献】
【０００３】
【特許文献１】特許第５７１１３６４号公報
【発明の概要】
【発明が解決しようとする課題】
【０００４】
ところで、広告コンテンツのデザインを決定する場合、レイアウトを変えたいくつかのパターンのコンテンツを実際に作成し、その中から採用するレイアウトが決定される。しかしながら、従来は、レイアウトの変更やその評価は人的作業で行われており、コンテンツのレイアウトを決定する際の作業負担が大きかった。
【０００５】
本発明の課題は、コンテンツのレイアウトの決定に係る作業負担を低減させることである。
【課題を解決するための手段】
【０００６】
上記課題を解決するため、請求項１に記載の発明の情報処理装置は、
所定のレイアウトのコンテンツを表示する表示手段と、
前記レイアウトの評価を行う評価手段と、
を備える。
【発明の効果】
【０００７】
本発明によれば、コンテンツのレイアウトの決定に係る作業負担を低減することができる。
【図面の簡単な説明】
【０００８】
【図１】第１の実施形態におけるレイアウト評価システムの全体構成例を示す図である。
【図２】図１のサーバ装置の機能的構成を示すブロック図である。
【図３】図１のレイアウトＤＢ記憶部のデータ格納例を示す図である。
【図４】図１のデジタルサイネージ装置の機能的構成を示すブロック図である。
【図５】図４のスクリーン部の概略構成を示す図である。
【図６】図１のサーバ装置とデジタルサイネージ装置により実行されるレイアウト評価処理Ａを示すフローチャートである。
【図７】レイアウトの作成を説明するための図である。
【図８】第２の実施形態におけるレイアウト評価システムの全体構成例を示す図である。
【図９】第２の実施形態におけるレイアウトＤＢ記憶部のデータ格納例を示す図である。
【図１０】図８のサーバ装置、デジタルサイネージ装置、携帯端末により実行されるレイアウト評価処理Ｂを示すフローチャートである。
【発明を実施するための形態】
【０００９】
以下、添付図面を参照して本発明に係る好適な実施形態を詳細に説明する。以下の実施形態では、本発明に係る情報処理装置をサーバ装置１に適用した場合を例にとり説明する。なお、本発明は、図示例に限定されるものではない。
【００１０】
＜第１の実施形態＞
［レイアウト評価システム１００の構成］
図１は、本実施形態におけるレイアウト評価システム１００の全体構成を示す図である。レイアウト評価システム１００は、図１に示すように、サーバ装置１と、デジタルサイネージ装置２と、を備えて構成されている。サーバ装置１とデジタルサイネージ装置２は、通信ネットワークＮを介して通信接続可能である。通信ネットワークＮは、有線ＬＡＮ（Local Area Network）、無線ＬＡＮ、インターネット等を含む通信ネットワークである。なお、デジタルサイネージ装置２の台数は特に限定されない。
【００１１】
［サーバ装置１の構成］
サーバ装置１は、様々なレイアウトのコンテンツを作成してデジタルサイネージ装置２に送信し、デジタルサイネージ装置２でコンテンツを出力して収集した集客映像に基づいて各レイアウトを評価し、評価結果に基づいてコンテンツに採用するレイアウトを決定する装置である。
【００１２】
図２は、サーバ装置１の主制御構成を示すブロック図である。サーバ装置１は、図２に示すように、制御部１１、記憶部１２、操作部１３、表示部１４、通信部１５等を備えて構成されている。
【００１３】
制御部１１は、記憶部１２のプログラム記憶部１２１に記憶されている各種のプログラムを実行して所定の演算や各部の制御を行うＣＰＵ（Central Processing Unit）とプログラム実行時の作業領域となるメモリとを備えている（いずれも図示略）。制御部１１は、記憶部１２のプログラム記憶部１２１に記憶されているプログラムとの協働により、後述するレイアウト評価処理Ａのサーバ装置１側の処理を実行することで、評価手段、レイアウト手段、決定手段として機能する。
【００１４】
記憶部１２は、ＨＤＤ（Hard Disk Drive）や不揮発性の半導体メモリ等により構成される。記憶部１２には、図２に示すように、プログラム記憶部１２１が設けられている。プログラム記憶部１２１には、制御部１１で実行されるシステムプログラム、各種処理プログラム、これらのプログラムの実行に必要なデータ等が記憶されている。
【００１５】
また、記憶部１２には、デザインパーツ記憶部１２２が設けられている。デザインパーツ記憶部１２２には、コンテンツのレイアウト作成に使用されるデザインパーツ（背景パーツ、文字パーツ、画像パーツ等）が記憶されている（図７参照）。
【００１６】
また、記憶部１２には、レイアウトＤＢ（Data Base）記憶部１２３が設けられている。図３に、レイアウトＤＢ記憶部１２３のデータ格納例を示す。図３に示すように、レイアウトＤＢ記憶部１２３には、「レイアウトＩＤ」、「コンテンツ情報」、「測定日時」、「集客映像」、「評価結果」の項目が設けられており、コンテンツのレイアウトを識別するためのレイアウトＩＤ及びコンテンツ情報に対応付けて、そのコンテンツのレイアウトの効果測定に係る情報及び評価結果（測定期間、集客映像、評価結果）を対応付けて記憶する。コンテンツ情報は、例えば、複数のフレーム画像（画像データ）により構成される動画データ及び各フレーム画像に対応する音声データにより構成されている。
【００１７】
操作部１３は、カーソルキー、数字入力キー、及び各種機能キー等を備えたキーボードと、マウス等のポインティングデバイスを備えて構成され、キーボードで押下操作されたキーの押下信号とマウスによる操作信号とを、入力信号として制御部１１に出力する。
【００１８】
表示部１４は、例えば、ＣＲＴ（Cathode Ray Tube）やＬＣＤ（Liquid Crystal Display）等のモニターを備えて構成されており、制御部１１から入力される表示信号の指示に従って、各種画面を表示する。
【００１９】
通信部１５は、モデム、ルータ、ネットワークカード等により構成され、通信ネットワークＮに接続された外部機器との通信を行う。
【００２０】
［デジタルサイネージ装置２の構成］
デジタルサイネージ装置２は、例えば、店舗で取り扱っている商品に係る広告コンテンツを出力する装置である。
【００２１】
図４は、デジタルサイネージ装置２の主制御構成を示すブロック図である。図５は、図４のスクリーン部２２の概略構成を示す正面図である。図４に示すように、コンテンツの映像光を照射する投影部２１と、投影部２１から照射された映像光を背面で受けて前面に投影するスクリーン部２２とを備えている。
【００２２】
まず、投影部２１について説明する。
投影部２１は、制御部２３と、プロジェクタ２４と、記憶部２５と、通信部２６と、を備えている。プロジェクタ２４、記憶部２５、通信部２６は、図４に示すように制御部２３に接続されている。
【００２３】
制御部２３は、記憶部２５のプログラム記憶部２５１に記憶されている各種のプログラムを実行して所定の演算や各部の制御を行うＣＰＵとプログラム実行時の作業領域となるメモリとを備えている（いずれも図示略）。制御部２３は、プログラムとの協働により、後述するレイアウト評価処理Ａのデジタルサイネージ装置２側の処理を始めとする各種処理を実行する。
【００２４】
プロジェクタ２４は、制御部２３から出力された画像データを映像光に変換してスクリーン部２２に向けて照射する投影装置である。プロジェクタ２４は、例えば、アレイ状に配列された複数個（ＸＧＡの場合、横１０２４画素×縦７６８画素）の微小ミラーの各傾斜角度を個々に高速でオン／オフ動作して表示動作することでその反射光により光像を形成する表示素子であるＤＭＤ（デジタルマイクロミラーデバイス）を利用したＤＬＰ（Digital Light Processing）(登録商標)プロジェクタが適用可能である。
【００２５】
記憶部２５は、ＨＤＤ（Hard Disk Drive）や不揮発性の半導体メモリ等により構成される。記憶部２５には、図４に示すように、プログラム記憶部２５１が設けられている。プログラム記憶部２５１には、制御部２３で実行されるシステムプログラムや、後述するレイアウト評価処理Ａのデジタルサイネージ装置２側の処理を始めとする各種処理を実行するための処理プログラム、これらのプログラムの実行に必要なデータ等が記憶されている。
【００２６】
また、記憶部２５には、測定用情報記憶部２５２が設けられている。測定用情報記憶部２５２は、レイアウトの効果測定用にサーバ装置１から配信された測定用情報（コンテンツ情報、そのコンテンツで使用されているレイアウトのレイアウトＩＤ、測定期間等）を記憶する。
【００２７】
通信部２６は、モデム、ルータ、ネットワークカード等により構成され、ＬＡＮ（Local Area Network）、ＷＡＮ（Wide Area Network）等の通信ネットワークに接続された外部機器との通信を行う。
【００２８】
次に、スクリーン部２２について説明する。
図５に示すように、スクリーン部２２には、画像形成部２７と、画像形成部２７を支持する台座２８とが備えられている。
【００２９】
画像形成部２７は、映像光の照射方向に対して略直交するように配置された、例えばアクリル板などの人型に成形された一枚の透光板２９に、フィルム状のフレネルレンズが積層された背面投影用のフィルムスクリーン２９１や予め人物が印刷されたフィルム２９２が貼付されて構成されたスクリーンである。プロジェクタ２４は、画像形成部２７のフィルムスクリーン２９１が貼付された領域に画像を投影する。なお、透光板２９全体にフィルムスクリーン２９１を貼付した構成とし、人物についても投影を行うこととしてもよい。画像形成部２７は、プロジェクタ２４との協働によりコンテンツを表示する表示手段として機能する。
【００３０】
台座２８には、ボタン式の操作部３２と、音声を出力するスピーカなどの音声出力部３３と、撮像部３４、非接触通信部３５とが設けられている。
【００３１】
操作部３２は、複数の操作ボタンを備え、操作ボタンの押下信号を検出して制御部２３に出力する。
【００３２】
撮像部３４は、画像形成部２７の前方を所定時間間隔で撮影（動画撮影）して撮影画像を取得する撮影手段である。
撮像部３４は、図示は省略するが、光学系及び撮像素子を備えるカメラと、カメラを制御する撮像制御部とを備えている。カメラの光学系は、画像形成部２７の前方にいる人物を撮影可能な方向に向けられている。また、その撮像素子は、例えば、ＣＣＤ（Charge Coupled Device）やＣＭＯＳ（Complementary Metal-oxide Semiconductor）等のイメージセンサであり、光学系を通過した光学像を２次元の画像信号に変換する。
【００３３】
非接触通信部３５は、ＮＦＣ（Near Field Communication）による無線通信機能を備え、ＮＦＣによる無線通信機能を備えた外部機器と非接触通信を行うことによりデータの送受信を行う。
【００３４】
操作部３２、音声出力部３３、撮像部３４、非接触通信部３５は、図４に示すように制御部２３に接続されている。
【００３５】
［レイアウト評価システム１００の動作］
次に、レイアウト評価システム１００の動作について説明する。
図６に、レイアウト評価システム１００を構成する装置の間で実行されるレイアウト評価処理Ａの流れを示す。レイアウト評価処理Ａは、サーバ装置１において、操作部１３によりレイアウトの作成指示が入力された際に開始される。レイアウト評価処理Ａのサーバ装置１側の処理は、制御部１１とプログラム記憶部１２１に記憶されているプログラムとの協働により実行され、デジタルサイネージ装置２側の処理は、制御部２３とプログラム記憶部２５１に記憶されているプログラムとの協働により実行される。
【００３６】
まず、サーバ装置１において、制御部１１は、デザインパーツ記憶部１２２に記憶されている背景パーツ、文字パーツ、画像パーツをランダムに組み合わせてコンテンツのレイアウトを作成し、作成したレイアウトに基づいてコンテンツ情報を作成する（ステップＳ１）。
図７は、ステップＳ１の処理を模式的に示す図である。図７に示すように、デザインパーツ記憶部１２２には、複数の背景パーツ、複数の文字パーツ、複数の画像パーツがそれぞれ記憶されている。背景パーツは、コンテンツの背景色や背景の模様等である。文字パーツは、例えば、コンテンツにより説明される商品の製品名や会社名のロゴ等であり、色違いの文字パーツも用意されている。画像パーツは、例えば、コンテンツにより説明される商品のサンプル画像等である。ステップＳ１において、制御部１１は、背景パーツ、文字パーツ、画像パーツのそれぞれからランダムにパーツを選択してコンテンツのレイアウトを作成することによりコンテンツ情報の画像データを作成する。なお、背景色の異なる背景パーツや、色やサイズの異なるロゴからなる文字パーツは、デザインパーツ記憶部１２２に記憶しておく必要はなく、制御部１１がランダムに生成することとしてもよい。また、本実施形態においては、予め記憶部１２に音声データが記憶されており、生成した画像データと音声データを結合してコンテンツ情報を作成する。音声データは、コンテンツ間で共通とする。
【００３７】
次いで、制御部１１は、作成したレイアウトを識別するためのレイアウトＩＤを発行するとともに、作成したレイアウトの効果を測定する期間を決定し、レイアウトＩＤ、そのレイアウトのコンテンツ情報及び測定期間を通信部１５によりデジタルサイネージ装置２に送信する（ステップＳ２）。また、制御部１１は、レイアウトＩＤ、コンテンツ情報及び測定期間をレイアウトＤＢ記憶部１２３に記憶させる（ステップＳ３）。
【００３８】
デジタルサイネージ装置２の通信部２６において、サーバ装置１から送信されたレイアウトＩＤ、コンテンツ情報及び測定期間が受信されると、制御部２３は、受信した情報を測定用情報記憶部２５２に記憶させる（ステップＳ４）。
【００３９】
次いで、制御部２３は、測定期間が到来するのを待機し、測定期間が到来すると（ステップＳ５；ＹＥＳ）、受信したコンテンツ情報に基づいて画像形成部２７及び音声出力部３３によりコンテンツの出力（表示及び音声出力）を開始させるとともに、撮像部３４に動画撮影を開始させ、撮影画像（集客映像）を取得させる（ステップＳ６）。測定期間が終了するまで、制御部２３は、コンテンツの出力及び集客映像の撮影を続行させる。
【００４０】
測定期間が終了すると（ステップＳ７；ＹＥＳ）、制御部２３は、集客映像をレイアウトＩＤに対応付けてサーバ装置１に送信する（ステップＳ８）。
【００４１】
サーバ装置１において、通信部１５によりデジタルサイネージ装置２からレイアウトＩＤ及び集客映像を受信すると、制御部１１は、受信した集客映像に基づいてレイアウトを評価し（ステップＳ９）、集客映像及び評価結果をレイアウトＤＢ記憶部１２３に記憶させる（ステップＳ１０）。
ステップＳ９において、例えば、制御部１１は、受信した集客映像を構成する各撮影画像に顔認識処理を行い、認識された各顔領域に視線検出処理を実施して、各顔の視線方向を検出する。そして、画像形成部２７へ視線を向けている顧客の数をカウントし、そのカウント数をレイアウトの評価値とする。或いは、認識された顔領域の大きさを検出し、所定サイズ以上の大きさが所定時間以上維持されている顔の数をカウントし、その数をレイアウトの評価値としてもよい。
【００４２】
次いで、制御部１１は、所定数のレイアウトの作成が完了したか否かを判断する（ステップＳ１１）。
所定数のレイアウトの作成が終了していないと判断した場合（ステップＳ１１；ＮＯ）、制御部２３は、ステップＳ１に戻り、新たなレイアウトを作成して評価を行う。
【００４３】
一方、所定数のレイアウトの作成が完了したと判断した場合（ステップＳ１１；ＹＥＳ）、制御部２３は、レイアウトＤＢ記憶部１２３に記憶した各レイアウトの評価結果に基づいて、複数のレイアウトの中からコンテンツに採用するレイアウトを決定し（ステップＳ１２）、レイアウト評価処理Ａを終了する。
【００４４】
コンテンツに採用するレイアウトが決定すると、サーバ装置１の制御部１１は、決定したレイアウトのコンテンツ情報をレイアウトＤＢ記憶部１２３から読み出して通信部１５によりデジタルサイネージ装置２に送信する。そして、デジタルサイネージ装置２にそのコンテンツ情報に基づいてコンテンツを出力させる。
【００４５】
このように、レイアウト評価システム１００によれば、コンテンツのレイアウトの作成及びレイアウトの評価を人的作業で行う必要がなくなるので、コンテンツのレイアウトの決定に係る作業負担を低減することができる。
【００４６】
＜第２の実施形態＞
次に、本発明の第２の実施形態について説明する。
第１の実施形態においては、作成したレイアウトのコンテンツをデジタルサイネージ装置２で出力したときの集客映像に基づいてレイアウトを評価することとしたが、第２の実施形態では、作成したレイアウトのコンテンツをデジタルサイネージ装置２で出力している最中に顧客が携帯端末３を非接触通信部３５にタッチした（かざした）回数やそのときに携帯端末３に提供されるＵＲＬ（Uniform Resource Locator）にアクセスした回数に基づいてレイアウトを評価する場合について説明する。
【００４７】
［レイアウト評価システム２００の構成］
図８は、第２の実施形態におけるレイアウト評価システム２００の全体構成を示す図である。レイアウト評価システム２００は、図８に示すように、サーバ装置１と、デジタルサイネージ装置２と、携帯端末３とを備えて構成されている。サーバ装置１とデジタルサイネージ装置２、サーバ装置１と携帯端末３は、通信ネットワークＮを介して通信接続可能である。通信ネットワークＮは、有線ＬＡＮ（Local Area Network）、無線ＬＡＮ、移動体通信網、インターネット等を含む通信ネットワークである。また、デジタルサイネージ装置２と携帯端末３は、ＮＦＣ等による非接触通信によりデータ送受信可能である。なお、携帯端末３の台数は特に限定されない。
【００４８】
第２の実施形態において、サーバ装置１の記憶部１２には、図１０に示すレイアウト評価処理Ｂのサーバ装置１側の処理を実行するためのプログラムが記憶されている。また、記憶部１２には、レイアウトＤＢ記憶部１２３の代わりに、レイアウトＤＢ記憶部１２４が設けられている。
【００４９】
図９に、レイアウトＤＢ記憶部１２４のデータ格納例を示す。図９に示すように、レイアウトＤＢ記憶部１２４には、「レイアウトＩＤ」、「コンテンツ情報」、「測定日時」、「ＮＦＣタッチ回数」、「ＵＲＬアクセス回数」、「評価結果」の項目が設けられており、コンテンツのレイアウトを識別するためのレイアウトＩＤ及びコンテンツ情報に対応付けて、そのコンテンツのレイアウトの効果測定に係る情報及び評価結果（測定期間、ＮＦＣタッチ回数、ＵＲＬアクセス回数、評価結果）を対応付けて記憶する。
【００５０】
また、デジタルサイネージ装置２の記憶部２５には、図１０に示すレイアウト評価処理Ｂのデジタルサイネージ装置２側の処理を実行するためのプログラムが記憶されている。その他のサーバ装置１及びデジタルサイネージ装置２の構成は、第１の実施形態で説明したものと同様であるので説明を援用する。
【００５１】
携帯端末３は、店舗の顧客が携帯しているスマートフォンや携帯電話機等の通信機能を備えた通信装置である。携帯端末３は、制御部、記憶部、操作部、表示部、通信ネットワークＮを介して外部機器とデータ送受信を行うための通信部、ＮＦＣにより外部機器と非接触通信によるデータ送受信を行うための非接触通信部等（何れも図示せず）を備えて構成されている。携帯端末３は、ブラウザを有し、デジタルサイネージ装置２から非接触通信によりＵＲＬを受信すると、受信したＵＲＬを表示部に表示し、操作部による指示に応じてそのＵＲＬにアクセスする。
【００５２】
［レイアウト評価システム２００の動作］
次に、第２の実施形態のレイアウト評価システム２００の動作について説明する。
図１０に、レイアウト評価システム２００を構成する装置間において実行されるレイアウト評価処理Ｂの流れを示す。レイアウト評価処理Ｂは、サーバ装置１において、操作部１３によりレイアウトの作成指示が入力された際に開始される。レイアウト評価処理Ｂのサーバ装置１側の処理は、制御部１１とプログラム記憶部１２１に記憶されているプログラムとの協働により実行され、デジタルサイネージ装置２側の処理は、制御部２３とプログラム記憶部２５１に記憶されているプログラムとの協働により実行され、携帯端末３側の処理は、携帯端末３の図示しない制御部と記憶部に記憶されているプログラムとの協働により実行される。なお、図１０においては、携帯端末３は一つしか図示していないが、デジタルサイネージ装置２と非接触通信によりＵＲＬを受信した携帯端末３が図１０の携帯端末３側の処理を実行する。
【００５３】
まず、サーバ装置１において、制御部１１は、デザインパーツ記憶部１２２に記憶されている背景パーツ、文字パーツ、画像パーツをランダムに組み合わせてレイアウトを作成し、作成したレイアウトに基づいてコンテンツ情報を作成する（ステップＳ２１）。ステップＳ２１の処理は、図６のステップＳ１で説明したものと同様であるので説明を援用する。
【００５４】
次いで、制御部１１は、作成したレイアウトを識別するためのレイアウトＩＤを発行するとともに、作成したレイアウトの効果を測定する期間を決定する。また、制御部１１は、デジタルサイネージ装置２において作成したレイアウトのコンテンツの出力中に非接触通信部３５により検出された携帯端末３がコンテンツで紹介している商品に関連するＷｅｂページにアクセスするためのＵＲＬ（誘導ＵＲＬと呼ぶ）を生成する。そして、制御部１１は、レイアウトＩＤ、コンテンツ情報、測定期間、及び誘導ＵＲＬを通信部１５によりデジタルサイネージ装置２に送信する（ステップＳ２２）。また、制御部１１は、レイアウトＩＤ、コンテンツ情報及び測定期間をレイアウトＤＢ記憶部１２４に記憶させる（ステップＳ２３）。
なお、本実施形態において、誘導ＵＲＬは、所定の位置にレイアウトＩＤが含まれており、誘導ＵＲＬによって携帯端末３の顧客が見たレイアウトを特定できるようになっている。また、コンテンツで紹介している商品に関連するＷｅｂページは、例えば、コンテンツで紹介している商品の割引クーポンを配信するページである。
【００５５】
デジタルサイネージ装置２の通信部２６において、サーバ装置１から送信されたレイアウトＩＤ、コンテンツ情報、測定期間及び誘導ＵＲＬが受信されると、制御部２３は、受信した情報を測定用情報記憶部２５２に記憶させる（ステップＳ２４）。また、制御部２３は、受信した誘導ＵＲＬを非接触通信部３５のＩＣチップに書き込む（ステップＳ２５）。
【００５６】
次いで、制御部２３は、測定期間が到来するのを待機し、測定期間が到来すると（ステップＳ２６；ＹＥＳ）、受信したコンテンツ情報に基づいて画像形成部２７及び音声出力部３３によりコンテンツの出力（表示及び音声出力）を開始させる（ステップＳ２７）。なお、コンテンツには、例えば、「携帯端末をかざしてクーポンをゲット！」等の、コンテンツの近くにいる顧客が携帯端末３を非接触通信部３５にかざすように促す表示が含まれる。
【００５７】
次いで、制御部２３は、非接触通信部３５によりその通信エリア内に携帯端末３が検出されたか否かを判断する（ステップＳ２８）。
非接触通信部３５により携帯端末３が検出されていないと判断した場合（ステップＳ２８；ＮＯ）、制御部２３は、ステップＳ３４に移行する。
非接触通信部３５により携帯端末３が検出されたと判断した場合（ステップＳ２８；ＹＥＳ）、制御部２３は、メモリに設けたタッチ回数領域を１インクリメントし（ステップＳ２９）、非接触通信部３５により誘導ＵＲＬを携帯端末３に送信させる（ステップＳ３０）。測定期間が終了するまで、制御部２３は、ステップＳ２８〜ステップＳ３０の処理を繰り返し実行する。
【００５８】
携帯端末３において、デジタルサイネージ装置２から誘導ＵＲＬを受信すると、制御部は、ユーザ操作により誘導ＵＲＬにアクセスする指示が入力されたか否かを判断する（ステップＳ３１）。誘導ＵＲＬにアクセスする指示が入力されたと判断した場合（ステップＳ３１；ＹＥＳ）、制御部は、通信部により誘導ＵＲＬへのアクセスを行う（ステップＳ３２）。
【００５９】
サーバ装置１において、通信部１５により携帯端末３の誘導ＵＲＬへのアクセスが検知されると、制御部１１は、レイアウトＤＢ記憶部１２４において誘導ＵＲＬに含まれるレイアウトＩＤに対応付けて記憶されている「ＵＲＬアクセス回数」を１インクリメントする（ステップＳ３３）。
【００６０】
デジタルサイネージ装置２において、測定期間が終了すると（ステップＳ３４；ＹＥＳ）、制御部２３は、メモリのタッチ回数領域に記憶されているタッチ回数をレイアウトＩＤに対応付けて通信部２６によりサーバ装置１に送信する（ステップＳ３５）。送信後、タッチ回数領域の値はクリアする。
【００６１】
サーバ装置１において、通信部１５によりデジタルサイネージ装置２からレイアウトＩＤ及びタッチ回数が受信されると、制御部１１は、受信したタッチ回数をレイアウトＤＢ記憶部１２４に記憶させる（ステップＳ３６）。
【００６２】
次いで、制御部１１は、取得したタッチ回数及び／又は誘導ＵＲＬへのアクセス回数に基づいて、レイアウトの評価を行う（ステップＳ３７）。
ここで、タッチ回数は、非接触通信部３５により携帯端末３が検出された回数であり、この回数が多いほど、コンテンツのレイアウトが人を引き寄せる効果が高いと評価することができる。また、誘導ＵＲＬへのアクセス回数は、顧客が実際にクーポンを利用した回数であり、この回数が多いほど、コンテンツのレイアウトの広告効果が高いと評価することができる。そこで、ステップＳ３７においては、タッチ回数及び／又は誘導ＵＲＬへのアクセス回数に基づいて、レイアウトの評価を行う。例えば、タッチ回数及び誘導ＵＲＬのアクセス回数の多いほど高い評価値を付与する。誘導ＵＲＬのアクセス回数に重みをつけてもよい。また、タッチ回数又は誘導ＵＲＬへのアクセス回数の少なくとも一方を用いて評価を行うこととしてもよい。制御部１１は、評価結果をレイアウトＤＢ記憶部１２４に記憶させる。
【００６３】
次いで、制御部１１は、所定数のレイアウトの作成が完了したか否かを判断する（ステップＳ３８）。
所定数のレイアウトの作成が完了していないと判断した場合（ステップＳ３８；ＮＯ）、制御部２３は、ステップＳ２１に戻り、新たなレイアウトを作成して評価を行う。
【００６４】
一方、所定数のレイアウトの作成が完了したと判断した場合（ステップＳ３８；ＹＥＳ）、制御部１１は、レイアウトＤＢ記憶部１２４に記憶されている各レイアウトの評価結果に基づいて、複数のレイアウトの中からコンテンツに採用するレイアウトを決定し（ステップＳ３９）、レイアウト評価処理Ｂを終了する。
【００６５】
コンテンツに採用するレイアウトが決定すると、サーバ装置１の制御部１１は、決定したレイアウトのコンテンツ情報をレイアウトＤＢ記憶部１２３から読み出して通信部１５によりデジタルサイネージ装置２に送信する。そして、デジタルサイネージ装置２にそのコンテンツ情報に基づいてコンテンツを出力させる。
【００６６】
以上説明したように、レイアウト評価システム１００によれば、サーバ装置１の制御部１１は、デザインパーツ記憶部１２２に記憶されている背景パーツ、文字パーツ、画像パーツを含むデザインパーツをランダムに組み合わせてコンテンツのレイアウトを作成し、作成したレイアウトに基づいてコンテンツ情報を生成して通信部１５によりデジタルサイネージ装置２に送信する。デジタルサイネージ装置２は、画像形成部２７及び音声出力部３３により受信したコンテンツ情報に基づくコンテンツを出力し、撮像部３４によりそのときの集客映像を撮影してサーバ装置１に送信する。サーバ装置１の制御部１１は、受信した集客映像に基づいてコンテンツの評価を行う。例えば、集客映像から認識された人物像の視線を検出し、検出した視線に基づいて、レイアウトの評価を行う。
【００６７】
従って、コンテンツのレイアウトの作成及びレイアウトの評価を人的作業で行う必要がなくなるので、コンテンツのレイアウトの決定に係る作業負担を低減することができる。
【００６８】
また、複数のレイアウトを作成してその評価を行い、評価結果に基づいて複数のレイアウトの中からコンテンツに採用するレイアウトを決定することで、更に、コンテンツのレイアウトの決定に係る作業負担を低減することができる。
【００６９】
レイアウトの評価は、集客映像を用いて行う他、例えば、コンテンツの出力中に非接触通信部３５が顧客の携帯端末３と非接触通信を行った回数（即ち、タッチされた回数）に基づいて行うことができる。また、コンテンツの出力中に非接触通信部３５が顧客の携帯端末３に送信するＵＲＬのアクセス回数に基づいてレイアウトを評価することもできる。
【００７０】
なお、上記実施形態における記述内容は、本発明の好適な一例であり、これに限定されるものではない。
【００７１】
例えば、上記実施形態において挙げたレイアウト評価手法は例にすぎず、上記に限定されるものではない。
【００７２】
また、上記実施形態においては、コンテンツは音声を含む動画であることとしたが、音声を含まない動画や静止画としてもよい。
【００７３】
また、上記実施形態においては、サーバ装置１においてコンテンツのレイアウトの作成、作成したレイアウトに基づくコンテンツ情報の作成、レイアウトＤＢ記憶部によるデータの管理、レイアウトの評価、コンテンツに採用するレイアウトの決定等を行うこととして説明したが、これらの機能は全てデジタルサイネージ装置２で行うこととしてもよい。即ち、図６のサーバ装置１側の処理及びデジタルサイネージ装置２の処理（ステップＳ２、Ｓ８は除く）を実行するプログラムをデジタルサイネージ装置２のプログラム記憶部２５１に記憶し、制御部２３とプログラム記憶部２５１に記憶されているプログラムとの協働により上記機能を実行することとしてもよい。また、図１０のサーバ装置１側の処理及びデジタルサイネージ装置２の処理（ステップＳ２２、Ｓ３５は除く）を実行するプログラムをデジタルサイネージ装置２のプログラム記憶部２５１に記憶し、制御部２３とプログラム記憶部２５１に記憶されているプログラムとの協働により上記機能を実行することとしてもよい。
【００７４】
また、上記実施形態においては、デジタルサイネージ装置２と携帯端末３間の通信をＮＦＣによる非接触通信とした場合を例にとり説明したが、非接触通信の通信方式等は特に限定されない。
また、上記実施形態においては、認識された視線に基づいて又はデジタルサイネージ装置２と携帯端末３が通信をすることによってレイアウトの評価を行ったがこれに限らず、例えば、コンテンツの出力中にデジタルサイネージ装置２の操作部３２によりそのコンテンツに対する操作が行われたか否かに基づいてレイアウトを評価しても良い。
【００７５】
また、上記実施形態におけるデジタルサイネージ装置２は、プロジェクタからスクリーンに画像を投影することで画像の表示を行うものとして説明したが、例えば、液晶ディスプレイ、プラズマディスプレイ等、他の表示手段を有するものとしてもよい。
【００７６】
その他、レイアウト評価システムを構成する各装置の細部構成及び細部動作に関しても、発明の趣旨を逸脱することのない範囲で適宜変更可能である。
【００７７】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
所定のレイアウトのコンテンツを表示する表示手段と、
前記レイアウトの評価を行う評価手段と、
を備える情報処理装置。
＜請求項２＞
デザインパーツをランダムに組み合わせてコンテンツのレイアウトを作成するレイアウト手段を備え、
前記表示手段は、前記レイアウト手段により作成されたレイアウトのコンテンツを表示し、
前記評価手段は、前記レイアウト手段により作成されたレイアウトの評価を行う請求項１に記載の情報処理装置。
＜請求項３＞
前記デザインパーツは、背景パーツ、文字パーツ、画像パーツを含む請求項２に記載の情報処理装置。
＜請求項４＞
前記評価手段は、前記レイアウト手段により作成された複数のレイアウトの評価を行う請求項２又は３に記載の情報処理装置。
＜請求項５＞
前記評価手段による評価結果に基づいて、前記レイアウト手段により作成された複数のレイアウトの中から前記コンテンツに採用するレイアウトを決定する決定手段を備える請求項４に記載の情報処理装置。
＜請求項６＞
前記表示手段によるコンテンツの表示中に前記表示手段の前方を撮影して撮影画像を取得する撮影手段を備え、
前記評価手段は、前記撮影手段により取得された撮影画像に基づいて前記レイアウトの評価を行う請求項１〜５の何れか一項に記載の情報処理装置。
＜請求項７＞
前記評価手段は、前記撮影画像から認識された人物像の視線を検出し、検出した視線に基づいて前記レイアウトの評価を行う請求項６に記載の情報処理装置。
＜請求項８＞
外部の通信装置と非接触通信を行う非接触通信手段を備え、
前記評価手段は、前記表示手段によるコンテンツの表示中に前記非接触通信手段が前記通信装置と非接触通信を行った回数に基づいて前記レイアウトの評価を行う請求項１〜５の何れか一項に記載の情報処理装置。
＜請求項９＞
前記非接触通信手段は、前記通信装置と非接触通信を行うことにより前記表示手段により表示中のコンテンツに関連するＷｅｂページのＵＲＬ（Uniform Resource Locator）であって、前記レイアウトに対応するＵＲＬを前記通信装置に送信し、
前記評価手段は、前記ＵＲＬにアクセスが行われた回数に基づいて、前記レイアウトの評価を行う請求項８に記載の情報処理装置。
＜請求項１０＞
操作手段を更に備え、
前記評価手段は、前記表示手段によるコンテンツの表示中に前記操作手段が操作されたか否かに基づいて前記レイアウトの評価を行う請求項１〜５の何れか一項に記載の情報処理装置。
＜請求項１１＞
所定のレイアウトのコンテンツを表示する工程と、
前記レイアウトの評価を行う工程と、
を含むレイアウト評価方法。
＜請求項１２＞
コンピュータを、
所定のレイアウトのコンテンツを表示する表示手段、
前記レイアウトの評価を行う評価手段、
として機能させるためのプログラム。
【符号の説明】
【００７８】
１００  レイアウト評価システム
２００  レイアウト評価システム
１  サーバ装置
１１  制御部
１２  記憶部
１２１  プログラム記憶部
１２２  デザインパーツ記憶部
１２３  レイアウトＤＢ記憶部
１２４  レイアウトＤＢ記憶部
１３  操作部
１４  表示部
１５  通信部
２  デジタルサイネージ装置
２１  投影部
２２  スクリーン部
２３  制御部
２４  プロジェクタ
２５  記憶部
２５１  プログラム記憶部
２５２  測定用情報記憶部
２６  通信部
２７  画像形成部
２８  台座
２９  透光板
３２  操作部
３３  音声出力部
３４  撮像部
３５  非接触通信部
【図１】
2017167573.tif 000003
【図２】
2017167573.tif 000004
【図３】
2017167573.tif 000005
【図４】
2017167573.tif 000006
【図５】
2017167573.tif 000007
【図６】
2017167573.tif 000008
【図７】
2017167573.tif 000009
【図８】
2017167573.tif 000010
【図９】
2017167573.tif 000011
【図１０】
2017167573.tif 000012